(57)【要約】【課題】トレーニングジムにおけるユーザのトレーニング情報の管理を容易にする。【解決手段】トレーニングデータ、ユーザ識別用のＩＤなどを記録する半導体メモリ２０と、半導体メモリ２０に記録された情報を表示、加工、及び加工したデータを記録するジム内端末４０と、ユーザの身体に取り付けるリストバンド３１を備え、ユーザの身体情報を測定するとともに、測定した身体情報を半導体メモリ２０に記録したり、半導体メモリ２０に記録された情報の操作をしたりする携帯端末３０と、ジム内端末４０、トレーニングマシン１１、ロッカー１２、カメラ１３などトレーニングジム内と接続され、トレーニングジム内を行き来する情報の記憶及び情報伝達の制御を行うサーバ１５とを備える。【選択図】  図１
2004248828.tif 000002
【特許請求の範囲】
【請求項１】
使用者の個人情報、トレーニングデータ及びその他のデータが記録される半導体メモリと、
上記半導体メモリに記録されたデータを表示する表示手段と、該表示手段の表示内容を切り換える又はデータを入力する操作入力手段と、装着している使用者の身体情報を測定する身体情報測定手段と、上記半導体メモリに対して上記入力されたデータ及び／又は上記身体情報を記録する記録手段とを有する携帯端末と、
上記半導体メモリに対してデータを読み書きする記録再生手段と、該トレーニングデータの管理画面を表示する表示手段と、該管理画面を介してデータの入力及び情報の選択をする操作入力手段とを有する情報管理端末と、
上記使用者の個人情報、トレーニングデータ及びその他のデータを蓄積する蓄積手段と、該蓄積手段に蓄積されたデータを上記情報管理端末にて使用できるように統括管理するデータ管理装置と、
を備えることを特徴とするジムデータ管理システム。
【請求項２】
上記携帯端末における身体情報測定手段は、心拍測定機能、体温測定機能を有することを特徴とする請求項１記載のジムデータ管理システム。
【請求項３】
上記半導体メモリに記録されたトレーニングデータに基づいてマシン設定を制御するマシン制御手段を有するトレーニングマシンを更に備えることを特徴とする請求項１記載のジムデータ管理システム。
【請求項４】
上記トレーニングデータは、使用者体型に応じた上記トレーニングマシンのマシン設定データ、使用者にあったウェート値を含むことを特徴とする請求項３記載のジムデータ管理システム。
【請求項５】
上記携帯端末は、外部機器に対して無線又は有線によりデータを送受する送受信手段を備え、
上記トレーニングマシンに上記半導体メモリに記録されたデータを送信する、又は上記トレーニングマシンから送られたデータを受信し上記半導体メモリに記録することを特徴とする請求項１記載のジムデータ管理システム。
【請求項６】
上記携帯端末は、外部機器に対して無線又は有線によりデータを送受する送受信手段を備え、
上記情報端末に上記半導体メモリに記録されたデータを送信する、又は上記情報端末から送られたデータを受信し上記半導体メモリに記録することを特徴とする請求項１記載のジムデータ管理システム。
【請求項７】
ジム内の使用者を撮像する撮像装置を備え、
上記撮像装置は、上記半導体メモリに記録された個人情報に応じて使用者を撮像し、上記データ管理装置は、上記情報端末から使用者によって指示された場合、上記撮像手段において撮像した該使用者に関する映像データを上記情報端末に送ることを特徴とする請求項１記載のジムデータ管理システム。
【請求項８】
上記データ管理装置における蓄積手段には、ジム内で使用した音楽コンテンツが蓄積され、
上記情報端末は、上記半導体メモリに記録された使用者の個人情報に基づいて、上記音楽コンテンツを該半導体メモリに記録することを特徴とする請求項１記載のジムデータ管理システム。
【請求項９】
使用者の個人情報、トレーニングデータ及びその他のデータが記録される半導体メモリと、
上記半導体メモリに記録されたデータを表示する表示手段と、
上記表示手段の表示内容を切り換える又はデータを入力する操作入力手段と、
装着している使用者の身体情報を測定する身体情報測定手段と
上記半導体メモリに対して上記入力データ及び／又は上記身体情報を記録する記録手段と
を備えることを特徴とする携帯端末。
【発明の詳細な説明】
【０００１】
【発明の属する技術分野】
本発明は、トレーニングジムや自宅などでのトレーニングを管理・サポートするジムデータ管理システム及びこのシステムに適用される携帯端末に関する。
【０００２】
【従来の技術】
近年、スポーツを行う設備を提供するトレーニングジムが普及している。トレーニングジムでは、単純にスポーツを行う設備を提供するだけでなく、痩身、健康管理、筋力増強などの目的に応じたトレーニングメニューを作成し、効率的なトレーニングを提案するシステムも完備している。
【０００３】
従来、ジムでのトレーニングの際には、トレーニング前後の体重・体脂肪率、血圧等の測定、トレーニングマシンのウェート等の設定等をトレーニングカルテに記入して管理していた。また、トレーニングジムでトレーニングメニューを作成する場合には、トレーニングカルテに記入されたトレーニング目標や体重、体脂肪率などのフィジカルデータに基づいて、専用のトレーナがトレーニングメニューを作成している。
【０００４】
トレーニングジムに行かなくとも、個人個人のトレーニングメニューを作成したり、トレーニング内容を管理したりする技術も提案されている。例えば、トレーニングジムを介さないトレーニングシステムとして、ユーザの年齢やトレーニング目標やトレーニング経過を遠隔地に存在するサーバに送信し、サーバが次段階のトレーニングメニューを作成し、次段階のトレーニングメニューをユーザに返信するものがある（例えば、特許文献１参照）。
【０００５】
【特許文献１】
特開２００２−１９７１９３号公報
【０００６】
【発明が解決しようとする課題】
ところが、ジムにてトレーナがトレーニングメニューを作成する場合、その都度、トレーニングの内容をトレーニングカルテに記入する必要があり、トレーニングメニューやマシン設定と言ったトレーニング情報の更新・管理が煩雑である。
【０００７】
また、ジムに行かないでトレーニングメニューを更新するようなシステムであっても、例えば、水泳の遊泳距離、ウォーキングの距離、ウェートリフティングのウェート値やリフティング回数などは、トレーニングジムなど実際に行ったトレーニング履歴を何らかの形で記憶し、自宅のパーソナルコンピュータなどに記録してサーバに送信しなくてはならず、やはり非常に煩雑である。
【０００８】
そこで本発明は、このような従来の実情に鑑みて提案されたものであり、トレーニングジムにおけユーザのトレーニング情報の管理を容易にするジムデータ管理システム、及びこのシステムに用いて好適な携帯端末を提供することを目的とする。
【０００９】
【課題を解決するための手段】
上述した目的を達成するために、本発明に係るジムデータ管理システムは、使用者の個人情報、トレーニングデータ及びその他のデータが記録される半導体メモリと、半導体メモリに記録されたデータを表示する表示手段と、該表示手段の表示内容を切り換える又はデータを入力する操作入力手段と、装着している使用者の身体情報を測定する身体情報測定手段と、半導体メモリに対して入力されたデータ及び／又は身体情報を記録する記録手段とを有する携帯端末と、半導体メモリに対してデータを読み書きする記録再生手段と、該トレーニングデータの管理画面を表示する表示手段と、該管理画面を介してデータの入力及び情報の選択をする操作入力手段とを有する情報端末と、使用者の個人情報、トレーニングデータ及びその他のデータを蓄積する蓄積手段と、該蓄積手段に蓄積されたデータをトレーニングマシン及び情報管理端末にて使用できるように統括管理するデータ管理装置とを備える。
【００１０】
ここで、携帯端末は、使用者の個人情報、トレーニングデータ及びその他のデータが記録される半導体メモリを着脱可能とし、装着している使用者の身体情報を測定する身体情報測定手段を備え、トレーニングマシンは、半導体メモリに記録されたデータ及び身体情報に基づいてマシン設定を制御する。
【００１１】
また、本発明に係る携帯端末は、使用者の個人情報、トレーニングデータ及びその他のデータが記録される半導体メモリと、半導体メモリに記録されたデータを表示する表示手段と、表示手段の表示内容を切り換える又はデータを入力する操作入力手段と、装着している使用者の身体情報を測定する身体情報測定手段と半導体メモリに対して入力データ及び／又は上記身体情報を記録する記録手段とを備える。
【００１２】
これにより、携帯端末は、半導体メモリに対して、装着している使用者の身体情報、トレーニングデータを記録できる。また、これらデータをトレーニングマシンに送ることで、マシン設定がなされる。
【００１３】
【発明の実施の形態】
以下、図面を参照して本発明のジムデータ管理システムを適用したトレーニングシステム１について説明する。本発明を適用したトレーニングシステム１は、トレーニングに関する情報を作成、提供及び活用するためのシステムである。
【００１４】
トレーニングシステム１は、トレーニングジムに構築される。トレーニングシステム１は、図１に示すように、トレーニングマシン１１、ジム内端末１２、ロッカー１３、カメラ１４などのジム内設備とを備え、各ジム内設備はサーバ１５と接続されている。
【００１５】
このトレーニングシステム１では、ユーザはジム内で半導体メモリ２０を挿入した携帯端末３０を携帯する。半導体メモリ２０には、ユーザの個人情報やトレーニング情報が記録されており、携帯端末３０によって身体情報を計測し、記録することもできる。トレーニングジム内のトレーニングマシン１１やジム内端末１２、ジム内設備と携帯端末３０とは、半導体メモリ２０内に記録された情報を交換できるようになっており、ユーザに適したトレーニング情報の作成、トレーニングの管理、トレーニング情報の記録などを行うことができる。
【００１６】
トレーニングシステム１の各構成を具体的に説明する。
【００１７】
携帯端末３０は、図２に示すように、小型で携帯端末３０を手首に取り付けるためのリストバンド３１が設けられている。携帯端末３０は、身体に直接取り付けることができるのでトレーニング中も携帯することができる。また、携帯端末３０には、ユーザの脈拍、体温などを計測するセンサを備えており、トレーニング中のユーザの体調を観測することができる。なお、携帯端末３０は、リストバンド３１型でなくても指輪やネックレスのような形状をしていてもよい。
【００１８】
携帯端末３０は、ユーザが操作指示を入力するコントロール部３２と、携帯端末３０の記録内容や操作内容などを表示する表示部３３と、半導体メモリ２０を挿入する半導体メモリ２０挿入部とを備えている。コントロール部３２は、上下２つの回転ダイヤルが設けられている。上側の回転ダイヤル（上回転ダイヤル３４）は、携帯端末３０の機能を選択するためのダイヤルであり、下側の回転ダイヤル（下回転ダイヤル３５）は、入力内容を選択するためのダイヤルである。回転ダイヤルからの入力やこの入力に対する応答は、表示部３３に表示される。例えば、ユーザが上回転ダイヤル３４を回転すると携帯端末３０の機能が表示部３３に表示され、下回転ダイヤル３５を回転するとユーザの目標体重やトレーニング時間などが表示される。ユーザは、表示内容に従って携帯端末３０を操作することができる。
【００１９】
さらに、携帯端末３０は、検出結果をトレーニングジムの専用端末やトレーニングマシン１１などに出力する。そのための構成として、図示しないが、携帯端末３０は、赤外線や無線などでデータ交換を行う通信部を備える。通信部は、例えば、ブルートゥース（Ｂｌｕｅｔｏｏｔｈ）などの規格に従っており、同規格に従ったパーソナルコンピュータ５０や専用端末などと非接触でデータの交換ができる。
【００２０】
ジム内端末１２は、トレーニングメニューの作成やトレーニング用品の紹介を行う。図３は、ジム内端末１２の外観を示している。ジム内端末１２は、表示部４１、ユーザの入力を受け付ける入力部４２、携帯端末３０とのインターフェースであるトレーニング情報交換部４３を備えている。
【００２１】
さらに、ジム内端末１２は、メモリに記録されたＩＤを基にユーザの認証を行うユーザ識別部４４、トレーニング情報をもとにトレーニングメニューを作成するトレーニングメニュー作成部４５、トレーニング用品を紹介するトレーニング用品紹介部４６、トレーニングに使用した音楽やビデオなどを販売するＡＶコンテンツ販売部４７、トレーニング履歴、トレーニングの成果、ユーザのダンスや水泳の映像などトレーニング情報をダウンロードするトレーニング情報記録部４８などを備える（図４参照）。
【００２２】
トレーニング情報記録部４８は、ユーザからトレーニング情報の記録指示に応じて、身体測定器やトレーニングマシン１１などからトレーニング情報を受信し、半導体メモリ２０に記録する。これによって、トレーニング情報記録部４８のトレーニング記録処理によって、トレーニングカルテが作成される。
【００２３】
トレーニングメニュー作成部４５は、半導体メモリ２０に記録されたトレーニング情報や入力部４２を介して入力されたトレーニング情報などをもとにユーザのトレーニングメニューを作成する。トレーニングメニュー作成部４５によって作成されたトレーニングメニューは、半導体メモリ２０に記録されるとともに、トレーニングジム内の適当な装置に出力される。例えば、ウエートリフティングのトレーニングメニューを作成した場合、トレーニングメニュー作成部４５は、ウエートの重量、持ち上げる回数などをトレーニングマシン１１に転送する。これにより、自動的にトレーニングマシン１１を制御することができる。
【００２４】
トレーニング用品紹介部４６は、ユーザのトレーニングメニューやユーザのトレーニング履歴などを半導体メモリ２０から読み出し、ユーザが使用したトレーニング用品の紹介、トレーニングに適した健康補助食品、トレーニング時に着用するトレーニングウェアなどの紹介などを行う。また、トレーニング用品紹介部４６は、ユーザからの指示に応じて、紹介したトレーニンググッズの販売を行う。トレーニンググッズを販売時のユーザ認証は、半導体メモリ２０のＩＤなどを基に行われる。
【００２５】
ＡＶコンテンツ販売部４７は、音楽コンテンツやビデオコンテンツを半導体メモリ２０にダウンロードするとともに、半導体メモリ２０のＩＤをもとにコンテンツの料金を課金する。ＡＶコンテンツ販売部４７は、販売可能な音楽コンテンツやビデオコンテンツを表示部４１に表示して、ユーザの購入を促す。ＡＶコンテンツ販売部４７は、半導体メモリ２０に記録された情報を基に、表示部４１に表示するＡＶコンテンツの種類をせんたくする。例えば、ＡＶコンテンツ販売部４７は、ユーザのダンスレッスンの受講履歴をもとに、ダンスレッスンで使用したＡＶコンテンツを表示部４１に表示したり、半導体メモリ２０に記録された楽曲のジャンルや年代を基にユーザが希望するＡＶコンテンツの種類を表示部４１に表示したりする。
【００２６】
ジム内端末１２と半導体メモリ２０との連携処理として、他には以下のようなものが考えられる。例えば、プールのゴール付近にユーザのＩＤを入力するＩＤ受信装置を設け、ユーザがプールのゴール付近に到達した回数を基に遊泳距離をカウントしたり、ダンスレッスンの教室の出入口にＩＤ受信装置を設け、受講したダンスレッスンを記録したりすることができる。
【００２７】
また、プール内にユーザの水泳フォームを撮影するためのカメラ１４を設け、このカメラ１４からのデータをジム内端末１２に転送したり、ダンスの教室にカメラ１４を設け、カメラ１４からのデータをジム内端末１２に転送したりしてもよい。これにより、ユーザは、自分の水泳フォームやダンスの型を確認することができる。水泳フォームを撮影する場合、プールサイドのＩＤ受信装置からの入力をカメラ１４撮影開始のトリガとしてもよい。
【００２８】
次に、トレーニングジムに設置されたその他の装置について説明する。トレーニングジム内のトレーニングマシン１１、身体測定器、ロッカー１３などは、トレーニングジム内のネットワークに接続されており、専用端末とのデータの送受信を行う。また、トレーニングマシン１１、身体測定器、ロッカー１３などは、半導体メモリ２０との情報交換を行うトレーニング情報交換部を備える。
【００２９】
トレーニングマシン１１は、上述したトレーニング情報交換部のほかに、トレーニングマシン１１の動作を管理する動作管理部を備える。動作管理部は、トレーニングマシン１１の椅子の位置、トレーニングマシン１１のウエート、動作の開始終了などを管理する。
【００３０】
トレーニングマシン１１は、トレーニング情報交換部によって半導体メモリ２０に記録されたＩＤを取得すると、動作管理部は半導体メモリ２０に記録されたトレーニングメニューを基に自動的にセッティングを行う。また、トレーニングマシン１１は、トレーニング情報交換部を介して、携帯端末３０から送信されるユーザの脈拍や心拍数を受信し、この値を基にトレーニングマシン１１のウエートを変更したり、トレーニングマシン１１の使用時間を制御したりする。
【００３１】
また、ロッカー１３のトレーニング情報交換部は、半導体メモリ２０に記録されたＩＤを基にロッカー１３を開錠する。この場合、半導体メモリ２０は、ロッカー１３のキーとしての機能を有する。
【００３２】
以上、トレーニングジム内に構築されたトレーニングシステム１について説明したが、このトレーニングシステム１は、トレーニングジム外のパーソナルコンピュータ５０や外部端末６０でも利用することができる（図５参照）。
【００３３】
この場合、パーソナルコンピュータ５０は、ネットワークによって、ジム内部のトレーニングシステム１と接続される。このパーソナルコンピュータ５０は、半導体メモリ２０とのインターフェースを有し、半導体メモリ２０に記録された情報を視覚的に表示したり、新しいトレーニング情報を作成したりする。
【００３４】
図６は、このパーソナルコンピュータ５０の機能ブロック図である。パーソナルコンピュータ５０は、トレーニング成果をチェックするためのトレーニング成果チェック部５１、自宅でのトレーニングメニューの作成を行うトレーニングメニュー作成部５２、インターネット上のトレーニングに関するサイトを検索するサイト検索部５３などを有する。
【００３５】
トレーニング成果チェック部５１は、半導体メモリ２０に記録されたトレーニングメニュー、トレーニング履歴、ユーザの体重、体脂肪などを基に、トレーニングの達成度を計算し、パーソナルコンピュータ５０に出力する。また、トレーニング成果チェック部５１は、体重や血圧の推移やトレーニングジムへ通う頻度などをグラフ化したりする。
【００３６】
トレーニングメニュー作成部５２は、トレーニングジムにおけるトレーニングメニューと自宅でのトレーニングメニューを組み合わせた統合トレーニングメニューを作成する。例えば、ユーザが自宅でランニングを行い、この情報をパーソナルコンピュータ５０に入力した場合、トレーニングメニュー作成部５２は、半導体メモリ２０に記録されたユーザのトレーニング履歴を読み出し、この情報を基にランニングを考慮した統合トレーニングメニューを作成する。
【００３７】
サイト検索部５３は、半導体メモリ２０に記録されたトレーニングメニューを読み出し、このトレーニングメニューで必要となるトレーニング用品、トレーニングウェア、健康補助食品などを販売、若しくは紹介しているサイトを検索する。また、サイト検索部５３は、トレーニング履歴を基に、ダンスレッスンで使用した楽曲を販売若しくは紹介しているトレーニング関連サイト７０を検索する。ネットショッピングを行う場合には、半導体メモリ２０のＩＤを基に課金を行う。また、この他に同様のトレーニングを実行しているグループが情報交換をするためのサイトやトレーニング用品の使用方法、健康補助食品の摂取方法などを紹介しているサイトを検索する。
【００３８】
また、パーソナルコンピュータ５０の表示部５４には、ユーザのトレーニングを支援するマスコット５５が表示される。マスコット５５は、図７に示すように、パーソナルコンピュータ５０の表示部５４に表示され、ユーザの入力に対する応答を行うためのテキストを吹き出し５６内に表示する。マスコット５５は、ユーザインターフェースのような機能を果たす。例えば、この図では、吹き出し５６に“今日もよく頑張ったね。体脂肪率をチェックしてみようか？”、“グラフを見る”と表示している。“グラフを見る”と表示された部分をクリックすると、体脂肪の推移を示すグラフが表示される。
【００３９】
このように、トレーニングジムにおけるトレーニング情報を半導体メモリ２０に記録すると、自宅のパーソナルコンピュータ５０でトレーニング情報の管理、加工、表示などを行うことができる。そのため、ユーザは、トレーニングジムでのトレーニングと自宅でのトレーニングとを組み合わせたトレーニングを行うことができる。
【００４０】
また、このトレーニングシステム１では、半導体メモリ２０にトレーニング情報を記録しているため、自宅のパーソナルコンピュータ５０でなくとも、半導体メモリ２０とのインターフェースを有するパーソナルコンピュータ５０であればよい。さらに、半導体メモリ２０は、ＩＤを記録しているため、このＩＤによるネットワーク上でのユーザの識別が可能であり、自宅のパーソナルコンピュータ５０でなくても、ユーザに適した情報を受けることができる。
【００４１】
上述したジム内端末１２と同様の機能を有する外部端末６０をトレーニングジムの外部に設置することができる。この場合、外部端末６０は、インターネットによって、ジム内部の上記トレーニングジムのサーバ１５と接続される。この外部端末６０は、例えば、駅やジムと提携したスポーツ用品店などに設置され、半導体メモリ２０とのインターフェースを有し、半導体メモリ２０に記録された情報を視覚的に表示したり、トレーニングジムのサーバ１５にアクセスしたりする。トレーニングジムのサーバ１５にアクセスする場合には、半導体メモリ２０に記録されたＩＤがアクセスするためのキーとなる。また、トレーニングジムのサーバ１５は、ＩＤを基にユーザを識別し、ユーザに適した情報を外部端末６０に出力する。また、上述した携帯端末３０と外部端末６０とが通信可能であってもよい。
【００４２】
以上のように、本発明を適用したトレーニングシステム１では、従来家庭で一般的に用いられている半導体メモリ２０を携帯端末３０、ジム内端末１２、トレーニングマシン１１などに適用し、家庭とトレーニングジムとで共通の情報を使用することができる。情報の処理手段を統一化すると、情報は有効に利用できる。また、トレーニングジムに限定されない場所で情報を利用することができるため、ユーザの自由度が向上する。
【００４３】
さらに、トレーニング情報のようなユーザの個人情報は、半導体メモリ２０内で管理されるため、情報漏洩に対する安全度が向上する。
【００４４】
また、半導体メモリ２０は、一般的に普及した情報記録媒体であるため、ユーザがトレーニングシステム１を活用する際に必要となるデバイスがほとんどなく、ユーザ及びシステム運営者の負担を軽減することができる。さらに、トレーニングジムで購入したＡＶコンテンツなども自宅で視聴することができる。
【００４５】
また、半導体メモリ２０は、小型の記録媒体であり、リストバンド３１型の携帯端末３０に挿入し、トレーニング中も携帯することができる。リストバンド３１型の携帯端末３０は、脈拍、心拍数、体温などが測定でき、この測定結果をトレーニングマシン１１やジム内専用端末などに出力し、ユーザのトレーニングメニューを調整することができる。
【００４６】
また、半導体メモリ２０にユーザの脈拍の最大値やユーザの運動可能時間などを記録しておき、この閾値を超えた場合には、警告音の発音やメッセージ画面の表示などを行う。半導体メモリ２０に記録された閾値は、ジム専用端末やパーソナルコンピュータ５０によって作成される。
【００４７】
以下に、本具体例で使用した半導体メモリ２０を図８（Ａ）、図８（Ｂ）に示す。
この半導体メモリ２０は、縦寸法５０ｍｍ、横寸法２１．５ｍｍ、厚さ寸法２．８ｍｍの筐体２１を備えるとともに、外部の電子機器に装着された場合におけるシリアルバスの状態を示すバスステート、各種データ及びクロック等が入出力される１０ピンの端子２２を備える。
【００４８】
また、半導体メモリ２０は、図９に示すように、各種データを記録する数メガバイト乃至数十メガバイトの記憶容量を有するフラッシュメモリ２３と、このフラッシュメモリ２３の内容の管理等を行うメモリコントローラ２４と、電子機器と接続された各種データの入出力を行うインターフェース部２５とを備える。
【００４９】
フラッシュメモリ２３には、あらゆるフォーマットのデータを管理するためのディレクトリ構造が形成されている。例えば、フラッシュメモリ２３のルートディレクトリには、図１０に示すように、半導体メモリ２０の種類を示すファイル“ＭＥＭ＊＊＊＊．ｉｎｄ”、静止画ファイルを格納するディレクトリ“ＨＩＦＩ”、ボイスファイルを格納するディレクトリ”ＶＯＩＣＥ”、コントロール情報ファイル等の付加情報ファイルを格納するディレクトリ“ＣＯＮＴＲＯＬ”、ベンダ固有の情報を格納するディレクトリ“ＭＳ＊＊＊＊＊”がマウントされている。
【００５０】
なお、本発明は上述した実施の形態のみに限定されるものではなく、本発明の要旨を逸脱しない範囲において種々の変更が可能であることは勿論である。
【００５１】
例えば、本実施例では、携帯端末３０のコントロール部３２が２つの回転ダイヤルで構成されるとしたが、キーボードやタッチパネルのような他の手段で構成してもよい。
【００５２】
また、パーソナルコンピュータ５０やジム内端末１２の各部が使用したデータは、一例であり、その他のデータを使用して、目的を達成してもよい。
【００５３】
さらに、トレーニングシステム１のシステム構成は、必ずしも、１つのサーバ１５を中心とした構成でなくてもよく、複数のサーバ１５を設けてもよい。また、サーバ１５の処理を分散してもよい。
【００５４】
【発明の効果】
以上詳細に説明したように、本発明に係るジムデータ管理システムによれば、携帯端末にて記録された身体情報やトレーニングデータに応じて、トレーニングマシン１１のマシン設定が行われるとともにトレーニングデータが管理できるため、トレーニングジムにおけるマシン設定やユーザの個人的なトレーニング情報の管理を容易にし、ユーザの負担が軽減される。
【００５５】
また、本発明に係る携帯端末によれば、半導体メモリ２０に対して、装着している使用者の身体情報、トレーニングデータを記録できる。また、これらデータをトレーニングマシン１１に送ることで、マシン設定が容易になされる。
【図面の簡単な説明】
【図１】本発明を適用したトレーニングシステムの構成を示す図である。
【図２】携帯端末の外観を示す図である。
【図３】ジム内端末の外観を示す図である。
【図４】ジム内端末の機能ブロック図である。
【図５】トレーニングシステムと外部装置との接続を示す図である。
【図６】パーソナルコンピュータの機能ブロック図である。
【図７】パーソナルコンピュータの表示画面例である。
【図８】（Ａ）は、従来の半導体メモリの外観正面図であり、（Ｂ）は、従来の半導体メモリの外観背面図である。
【図９】半導体メモリの内部構成を示すブロック図である。
【図１０】従来の半導体メモリにおけるディレクトリ管理の説明図である。
【符号の説明】
１  トレーニングシステム、１１  トレーニングマシン、１２  ロッカー、１３カメラ、１５  サーバ、２０  半導体メモリ、３０  携帯端末、３１  リストバンド、４０  ジム内端末、４３  トレーニング情報交換部、４４  ユーザ識別部、４５  トレーニングメニュー作成部、４６  トレーニング用品紹介部、４７ＡＶコンテンツ販売部、４８  トレーニング情報記録部、５０  パーソナルコンピュータ、５１  トレーニング成果チェック部、５２  トレーニングメニュー作成部、５３  サイト検索部
【図１】
2004248828.tif 000003
【図２】
2004248828.tif 000004
【図３】
2004248828.tif 000005
【図４】
2004248828.tif 000006
【図５】
2004248828.tif 000007
【図６】
2004248828.tif 000008
【図７】
2004248828.tif 000009
【図８】
2004248828.tif 000010
【図９】
2004248828.tif 000011
【図１０】
2004248828.tif 000012